(57)【要約】光ディスク記録／再生装置に係る。当該装置は、回転軸の周囲に光ディスクを回転させるドライブ、可動光学ピックアップユニット（５）、及び、回転軸に対して実質的に半径方向において光学ピックアップユニット（５）の移動を案内する少なくとも１つの案内ロッド（４）を有するフレーム（１）を有する。案内ロッドは、所定の回転位置にある際に光学ピックアップユニットの動きを制限する突起（１７）を備えられる。案内ロッド（４）は、光学ピックアップユニット（５）を解放又はブロックする突起を動かすよう、電気駆動モータによって回転的に駆動可能である。
2008544433.tif 000002
【特許請求の範囲】
【請求項１】
光ディスク記録／再生装置であって、
回転軸の周囲に光ディスクを回転させるドライブと、
可動光学ピックアップユニットと、
前記回転軸に対して実質的に半径方向において前記光学ピックアップユニットの移動を案内する少なくとも１つの案内ロッドを有するフレームと、
を有し、
前記案内ロッドが所定の回転位置にある際、前記光学ピックアップユニットの動きを制限する突起を備えられ、
前記案内ロッドは、前記光学ピックアップユニットを解放又はブロックする前記突起を動かすよう、電気駆動モータによって回転的に駆動可能である、
装置。
【請求項２】
前記電気駆動モータは、前記装置が前記光学ピックアップユニットを解放するよう始動された後に前記案内ロッドを回転させ、
前記電気駆動モータは、前記光学ピックアップユニットが動かされて本来の位置に戻った後に前記案内ロッドを前記所定の回転位置へと回転させる、
ことを特徴とする、
請求項１記載の装置。
【請求項３】
前記電気駆動モータは、前記光学ピックアップユニットが本来の位置に戻された後に前記案内ロッドを所定の回数のみ前記所定の回転位置へと回転させる、ことを特徴とする、
請求項２記載の装置。
【請求項４】
前記案内ロッドは、ウォームギアを用いて回転可能である、ことを特徴とし、
ウォームは、前記フレームに対して取り付けられ、係合するウォームホイールは、前記案内ロッドに対して取り付けられ、
前記ウォームは、前記電気駆動モータによって回転的に駆動される、
請求項１乃至３のうちいずれか一項記載の装置。
【請求項５】
前記電気駆動モータはまた、前記装置の他の部分を動かすことができる、ことを特徴とする、
請求項１乃至４のうちいずれか一項記載の装置。
【請求項６】
前記案内ロッドは、２つの偏心部を有する、ことを特徴とし、
該偏心部の各々は、ベアリングを用いて前記フレームにおいて支持され、前記案内ロッドの案内部分が前記案内ロッドを回転させることによってその長手方向軸に対して垂直に移動され得る、
請求項１乃至５のうちいずれか一項記載の装置。
【請求項７】
特にはコンピュータである機器であって、
請求項１乃至６のうちいずれか一項記載の装置を有し、
前記光ディスク装置及び／又は前記装置が組み込まれる機器は、まず前記電気駆動モータが前記案内ロッドを前記所定の位置へと回転させる一時的段階があるよう、また、前記段階が一定時間ののちに終了するよう、プログラムされる、
機器。
【請求項８】
特にはコンピュータである機器であって、
請求項１乃至６のうちいずれか一項記載の装置を有し、
前記光ディスク及び／又は前記装置が組み込まれる機器は、前記モータを制御する制御手段を有する、ことを特徴とし、
前記制御手段は、前記機器の操作者が前記機器のスイッチをオフにする前に前記所定の位置へと前記案内ロッドをもたらし得るよう、プログラムされる、
機器。
【請求項９】
前記光ディスク装置を用いてデータを記録及び／又は再生する方法であって、
前記光ディスク装置は、回転軸の周囲に光ディスクを回転させるドライブと、可動光学ピックアップユニットと、前記回転軸に対して実質的に半径方向において前記光学ピックアップユニットの移動を案内する少なくとも１つの案内ロッドを有するフレームと、を有し、
前記案内ロッドは、所定の回転位置にある際に、前記光学ピックアップユニットの動きを制限する突起を備えられ、
電気駆動モータは、前記光学ピックアップユニットを解放又はブロックする前記突起を動かすよう、前記案内ロッドを回転させる、
方法。
【発明の詳細な説明】
【技術分野】
【０００１】
本発明は、光ディスク記録／再生装置に係る。当該装置は、回転軸の周囲に光ディスクを回転させるドライブ、可動光学ピックアップユニット、及び、回転軸に対して実質的に半径方向において光学ピックアップユニットの移動を案内する少なくとも１つの案内ロッドを有するフレーム、を有する。案内ロッドは、所定の回転位置にある際に光学ピックアップユニットの動きを制限する突起を備えられる。該半径方向は、装置の作動中、光ディスクの回転の軸を垂直に交差する方向である。
【背景技術】
【０００２】
かかる光ディスク装置の一例は、ＵＳ−Ａ−２００４／０１９４１２０（特許文献１）において開示される。該特許文献１中に記載される装置は、メイン案内ロッド及びサブ案内ロッドを有し、いずれも回転する光ディスクに対する半径方向に対して平行に位置付けられる。突起は、サブ案内ロッド上に存在し、サブ案内ロッドを回転させることによって第１の位置と第２の位置との間において可動である。突起は、第１の位置にある際、光学ピックアップユニットをブロックし、該ユニットが案内ロッドに沿って動くことができないようにする。突起が第２の位置にある際、光学ピックアップユニットは、解放され、回転する光ディスクの表面にわたって動くよう２つの案内ロッドに沿って移動され得る。
【０００３】
光学ピックアップユニットは、対物レンズを有し、光ディスク上に情報を記録するよう、回転する光ディスクの表面に対して集束ビームにおいて、レーザダイオードによって発されるレーザ放射を方向付ける。情報が再生される際、レーザビームは、光ディスクによって反射され、光学ピックアップユニット内において配置される光検出器に到達するよう対物レンズを通過する。それによって、前に記録された情報は再生され得る。
【０００４】
対物レンズを有する光学ピックアップユニットは、光ディスク装置の脆弱な部分である。光ディスク装置が輸送される際、該装置は、衝撃及び／又は振動を受け、光学ピックアップユニットの制御されない動きをもたらし、損傷を受け得る。かかる損傷を避けるよう、光学ピックアップユニットの動きは、所定の回転位置において案内ロッドを位置付けることによってブロックされ得る一方、突起は、第１の位置へともたらされ、光学ピックアップユニットの動きが制限又はブロックされる。
【０００５】
既知の光ディスク装置において、回転可能な案内ロッドの一端は、光ディスクの外側に延在し、該ロッドは、第１の位置から第２の位置まで９０°を介して回転される（ｒｏｔａｔｅ  ｉｔ  ｔｈｒｏｕｇｈ  ９０°）よう、スクリュドライバ又は他の特殊な工具によって係合され得、それによって光学ピックアップユニットは、解放され、即ち案内ロッド沿って自由に可動である。かかる案内ロッドの回転は、光ディスク装置がコンピュータ又は他の機器において取り付けられる前に実現され得、この機器の製造者は、機器において光ディスク装置を組み込む前に光学ピックアップユニットが損傷されないことを確かにし得る。しかしながら、光学ピックアップユニットが機器において取り付けられた後、該機器は、そのエンドユーザまで運搬されなければならず、光ディスク装置は、再度衝撃及び／又は振動を受け得る。かかる更なる輸送による損傷は、機器がエンドユーザによって使用される最終目的地に到着する瞬間まで機器をブロックし続けることによって、避けられ得る。機器が最終目的地に到着した後に案内ロッドを回転させるよう、案内ロッドの端部は、光ディスク装置がコンピュータ又は他の機器において取り付けられる際に依然としてアクセス可能でなければならない。更には、案内ロッドを回転させる動作は、単純でなければならず、機器のエンドユーザが複雑な指示又は特殊な工具を有さずにこの動作を実行し得るようにされる。このため、光学ピックアップユニットは、エンドユーザまでの輸送中はブロックされず、光学ピックアップユニットは依然として損傷を受け得る。
【０００６】
しかしながら、光ディスク装置がコンピュータ又は他の機器において製造者によって取り付けられる際、光学ピックアップユニットを解放する（ロック解除する）ことは、製造後に機器をテストするよう所望される。この場合、光ディスク装置をテストすることも求められ得、該テストにおいて、光学ピックアップユニットは、案内ロッドに沿って自由に可動でなければならない。製造者は当然のことながら、テスト後に案内ロッドを所定の回転位置まで回転させ得、故に光学ピックアップユニットの動きを制限するが、これは追加的且つ所望されない動作である。
【特許文献１】ＵＳ−Ａ−２００４／０１９４１２０
【発明の開示】
【発明が解決しようとする課題】
【０００７】
本発明は、可動の光学ピックアップユニットを有する光ディスク記録及び／又は再生装置を与える、ことを目的とする。該光ディスク装置及び光ディスク装置が組み込まれる機器は、光ディスク装置のピックアップユニットを損傷させるリスクを有することなくエンドユーザまで運搬され得る。
【課題を解決するための手段】
【０００８】
この目的を達成するよう、案内ロッドは、光学ピックアップユニットを解放又はブロックする突起を動かすよう、電気駆動モータによって回転的に駆動可能である。本発明に従った装置は、請求項１において定義される。電気駆動モータは、装置の操作者によってスイッチをオン及びオフにされ得るが、光ディスク装置、及び／又は光ディスク装置が組み込まれる機器又はコンピュータは、望ましくは、電気駆動モータが所定の回転位置へと、あるいは所定の回転位置から、案内ロッドを回転させるようプログラムされ、該突起は、所定の時に光学ピックアップユニットをブロック又は解放する。
【０００９】
電気駆動モータは、望ましくは、光学ピックアップユニットを解放するよう光ディスク装置が始動された後に案内ロッドを回転させ、また、電気駆動モータは、光学ピックアップユニットが動かされてその本来の位置まで戻った後に、案内ロッドを所定の回転位置へと回転させる。光学ピックアップユニットは、光ディスク装置が使用される際に解放され、該ユニットは、装置が使用されていない際は常にブロックされる。結果として、光学ピックアップユニットは、光ディスク装置が組み込まれる機器の製造者までの輸送中、及び機器のエンドユーザまでの更なる輸送中に損傷され得ない一方、光ディスク装置の機能は、製造者によってテストされ得る。更には、光ディスク装置又は装置が組み込まれる機器がエンドユーザによって受領された後でも振動又は衝撃を受ける際に、光学ピックアップユニットは、損傷され得ない。
【００１０】
望ましい一実施例では、光ディスク装置及び／又は装置が組み込まれる機器は、まず電気駆動モータが案内ロッドを所定の位置へと回転させる一時的段階（ｔｅｍｐｏｒａｒｙ  ｓｔａｇｅ）があるよう、また、段階が一定時間ののちに終了するよう、プログラムされる。電気駆動モータは、望ましくは、案内ロッドを特定の回数のみ所定の回転位置へと回転させ、光ディスク装置は、その製造者によってテストされ得、また、この機器の製造者がコンピュータ又は他の機器において装置を組み込んだ後にもテストされ得る一方、機器は、光学ピックアップユニットを損傷させるリスクを有することなくエンドユーザまで輸送され得る。前出の回数は、１０又はそれより少なく、望ましくは５より少なくあり得、いずれの場合においても、装置がエンドユーザによって使用される最終目的地に到着する前に、１回又はそれより多く光ディスク装置をテストするよう十分な回数である。光学ピックアップユニットはまた、最終目的地における到着後に複数回ブロックされ得るが、光ディスク装置を始動させる際に複数回の追加を求める。したがって、突起のブロック位置は、望ましくは、最終目的地に到着後は使用されないか、あるいは到着後制限された回数のみ作動するべきである。
【００１１】
案内ロッドは、望ましくは、ウォームギア（ｗｏｒｍ  ｇｅａｒｉｎｇ）を用いて回転可能である。ウォームは、フレームに対して取り付けられ、係合するウォームホイール（ｅｎｇａｇｉｎｇ  ｗｏｒｍ  ｗｈｅｅｌ）は、案内ロッドに対して取り付けられ、ウォームは、電気駆動モータによって回転的に駆動される。かかる単純な駆動機構は、案内ロッドを所望の回転位置におくことを可能とし、案内ロッドの回転はまた、これより説明される通り他の目的に対しても使用され得る。
【００１２】
望ましい一実施例では、電気駆動モータはまた、装置の他の部分を動かし得、上述された輸送中の光学ピックアップユニットの保護は、追加的な電気駆動モータを要求しない。電気駆動モータを用いる案内ロッドの回転はまた、本発明の以下の実施例におけるように、他の目的に役立ち得る、ことが分かった。
【００１３】
望ましい一実施例では、案内ロッドは、各々がベアリングを用いてフレームにおいて支持される２つの偏心部（ｅｃｃｅｎｔｒｉｃ  ｐｏｒｔｉｏｎｓ）を有し、案内ロッドの案内部分が案内ロッドを回転させることによってその長手方向軸に対して垂直方向に移動され得る。ベアリングは、望ましくは、案内ロッドの端部において、あるいは端部の近くにおいて位置決めされる。案内ロッドの移動は、回転する光ディスクに対する半径方向に対して平行である軸の周囲に光学ピックアップユニットをチルトさせ、回転するディスクの表面に対する光学ピックアップユニットのチルト角度が調整又は変更され得るようにする。かかるチルト角度の調整又は変更は、特に異なる種類の光ディスクが光ディスク装置において使用される際に、有利である。
【００１４】
ＣＤ（コンパクトディスク）、又はＤＶＤ（デジタルバーサタイルディスク）、又はＢＤ（ブルーレイディスク）等である異なる種類の光ディスクを用いて記録又は再生され得る。かかる全ての記録／再生システムは異なる技術を使用するが、光学ピックアップユニットがかかる技術の各々に対して求められる構成要素を有すると仮定すると、それら全ては、上述された通り同一の記録及び／又は再生装置において適用され得る。
【００１５】
異なる種類の光ディスクが使用される際、接平面における光学ピックアップユニットのチルト角度、即ち光ディスクの表面とピックアップユニットの対物レンズとの間の角度の小さな適合は、装置の機能性を高め得る。かかるチルト角度の適合は、小さく、例えば弧度３．１０−３より小さい。いずれかの種類の光ディスクに対する装置の最善且つ信頼性が最も高い機能性は、光ディスクの表面に対する対物レンズの異なるチルト角度を有して達成され、光ディスクシステムに対する最善のチルト角度は、試験によって容易に確定され得る。かかる異なるチルト角度は、上述された偏心部を有する案内ロッドを回転させることによって調整され得る。
【００１６】
本発明によれば、両方の特徴、即ち装置の輸送中に光学ピックアップユニットの動きをブロックする特徴、及び対物レンズのチルト角度を調整する特徴は、案内ロッドを回転させるよう同一の追加的な構成要素を求め、したがってかかる特徴の組合せは、大変有利である。
【００１７】
本発明は更に、特にはコンピュータである機器に係る。当該機器は、上述された光ディスク装置を有する。光ディスク装置及び／又は装置は、まず電気駆動モータが案内ロッドを所定の位置へと回転させる一時的段階があるよう、また、段階が一定時間ののちに終了するよう、プログラムされる。
【００１８】
本発明はまた、特にはコンピュータである機器に係る。当該機器は、上述された光ディスク装置を有する。光ディスク及び／又は装置が組み込まれる機器は、モータを制御する制御手段を有する。制御手段は、機器の操作者が機器のスイッチをオフにする前に所定の位置へと案内ロッドをもたらし得るよう、プログラムされる。故に操作者は、機器が運搬される際あるいは振動又は衝撃を受ける際に、光学ピックアップユニットをブロックされる位置において置いておくことができる。
【００１９】
本発明はまた、光ディスク装置を用いてデータを記録及び／又は再生する方法に係る。当該装置は、回転軸の周囲に光ディスクを回転させるドライブ、可動光学ピックアップユニット、及び、回転軸に対して実質的に半径方向において光学ピックアップユニットの移動を案内する少なくとも１つの案内ロッドを有するフレーム、を有する。案内ロッドは、所定の回転位置にある際、光学ピックアップユニットの動きを制限する突起を備えられる。電気駆動モータは、光学ピックアップユニットを解放又はブロックする突起を動かすよう、案内ロッドを回転させる。
【発明を実施するための最良の形態】
【００２０】
本発明はこれより、光ディスク記録及び／又は再生装置の２つの例の説明を用いて更に明らかにされる。該装置は、可動光学ピックアップユニット、及び、回転する光ディスクに対して実質的に半径方向において光学ピックアップユニットの移動を案内する少なくとも１つの案内ロッドを有するフレーム、有する。第１の例は、案内ロッドを回転させる手段を有する。案内ロッドは、光学ピックアップユニットのチルト角度を調整するよう移動され、本発明によれば、第２の例は、輸送中に光学ピックアップユニットをブロックする手段を備えられる。光ディスク記録／再生装置の一部の単なる概略図である図面は、参照される。
【００２１】
図１は、ドライブを備えられるフレーム１を図示し、該ドライブは、この実施例では、光ディスク（図示せず）が取り付けられ且つブロックされ得るターンテーブル２の形状である。ターンテーブル２は、回転軸２ａの周囲に回転可能である。更には、フレームは、第２の案内ロッド３及び第２の案内ロッド４を有し、いずれも円筒形の外側表面を有する。第１の案内ロッド３は、フレーム１における両端においてブロックされる。光学ピックアップユニット５は、互いから距離を置いた２つのベアリング６，７を用いて第１の案内ロッド３を係合し、光学ピックアップユニット５が第１のロッドに沿って、即ち第１の案内ロッド３の軸方向において摺動し得るようにする。故に光学ピックアップユニット５の中心部は、ターンテーブル２に対して半径方向において動く。集束レーザビームを発する対物レンズ（図１は示さず）は、該中心部において存在し、該レーザビームは、ターンテーブル２によって係合される回転する光ディスク（図示せず）に衝突し得る。光学ピックアップユニット５を半径方向において動かすことによって、レーザビームは、回転する光ディスクの表面の所定の領域に達することができる一方、レーザビームは、該表面に対して実質的に垂直に方向付けられる。
【００２２】
第２の案内ロッド４は、１つのベアリング８を用いて光学ピックアップユニット５によって係合され、光学ピックアップユニット５は、摺動動作という２つの動作のみを行い得る。該摺動動作においては、光学ピックアップユニット５の対物レンズは、回転する光ディスクの表面に対して平行である半径方向における直線状のパスにおいて動かされる。光学ピックアップユニット５をその半径方向に方向付けられた直線状パスに沿って駆動する手段は、図面中は示されない。かかる手段は、ウォームギアシステム又は直線動作を与え得る他の駆動機構であり得る。
【００２３】
半径方向に対して垂直である平面において光学ピックアップユニット５のチルト角度を変更するよう、光学ピックアップユニット５は、第１の案内ロッド３の周囲に回転し得る。かかる回転は、第２の案内ロッド４をその軸に対して垂直である方向において移動させることによって達成される。したがって、第２の案内ロッド４の両端９，１０は、第２の案内ロッド４の中心部（案内部分）に対して偏心的に位置付けられる。偏心端部９，１０は、２つの同軸ベアリング１１，１２を用いてフレーム１において支持され、第２の案内ロッド４の中心部の軸が２つのベアリング１１，１２の軸から距離を置いて位置付けられる。２つのベアリング１１，１２の軸の周囲における第２の案内ロッド４の回転は、その長手方向軸に対して垂直な方向における第２の案内ロッド４、即ち案内ロッド４の中心部の移動をもたらし、それによって光学ピックアップユニット４のチルト角度は変更される。
【００２４】
第２の案内ロッド４が回転する際、第２の案内ロッド４の移動は、直線状のパスにおける動作ではなく、同軸ベアリング１１，１２の軸の周囲の円形パスにおける動作である。したがってベアリング８は、光学ピックアップユニット５に対する第２の案内ロッド４の長手方向軸の相対動作を可能にする。
【００２５】
図２は、第２の案内ロッド４を移動させる手段をより詳細に示す。フレーム１は、第２の案内ロッド４の偏心部９上においてウォームギアホイール１４に係合するウォーム１３を備えられる。ウォーム１３は、電気モータ（図示せず）によって駆動され、比較的速いウォーム１３の回転は、ウォームホイール１４のより遅い回転、及び結果として第２の案内ロッド４の長手方向軸の遅い移動をもたらす。光学ピックアップユニット５に対して取り付けられるベアリング８は、第２の案内ロッド４を、第２の案内ロッド４の円筒形の表面の後方側（図１及び２中）において固定される平らな係合表面に、また、該円筒形表面の前方側部においてスプリング部材１５に、係合する。該スプリング部材１５は、平らな係合表面に対して第２の案内ロッド４を押しつける。結果として、第２の案内ロッド４は、光学ピックアップユニット５に対する平らな係合表面に対して平行な方向において動き得る。
【００２６】
光ディスク装置の第２の実施例は、図３及び４中に示される。第１の実施例における部分と同様の部分は、同一の参照符号によって示される。図１及び２中、第１の実施例の光学ピックアップユニット５は、ターンテーブル２から離れた位置において示され、図３及び４中、光学ピックアップユニット５は、ターンテーブル２に対して近い位置において示される。更には、対物レンズ１６は、図３及び４中に示される。
【００２７】
図３及び４中に示される第２の実施例の第２の案内ロッド４は、回転可能であり、その同軸偏心部９，１９は、フレーム１上にブロックされるベアリング１１，１２において支持される。第２の案内ロッド４をそのベアリング１１，１２において回転させることによって、第２の案内ロッド４の中心部は、その長手方向軸に対して垂直に移動され、対物レンズ１６は、図１中に示される通り、第２の案内ロッド４が回転する際に少しチルトする。
【００２８】
更には、第２の案内ロッド４は、第２の案内ロッド４が回転する際に円形のパスにおいて移動される突起１７を備えられる。図３及び４中に示される第２の案内ロッド４の所定の回転位置において、突起１７は、光学ピックアップユニット４の動きをブロックする。光学ピックアップユニット５の一部１８は、突起１７の後方に捕捉され、光学ピックアップユニット５がターンテーブル２から離れて動かされ得ないようにする。ストップ１９は、光学ピックアップユニットがターンテーブル２に触れないようにする。光学ピックアップユニット５は、第２の案内ロッド４を回転させることによって解放され得る。したがって突起１７は、光学ピックアップユニット５の部分１８から離れるよう移動される。続いて、光学ピックアップユニット５は、ターンテーブル２から離れる方向において２つの案内ロッド３，４に沿って動かされ得る。
【００２９】
対物レンズ１６を有する光学ピックアップユニット５をチルトさせるよう、第２の案内ロッド４は、１８０°の角度を介して回転され得、該角度において、第２の案内ロッド４の中心部が回転ディスクに対してより近い位置と、回転ディスクから更に離れた位置との間において動く。故に第２の案内ロッド４の回転を制御する制御手段（図示せず）は、対物レンズ１６の所望されるチルト角度を調整するよう、角度１８０°内における位置において案内ロッド４を固定し得る。図３及び４中に示される通り、突起１７をブロッキング位置へともたらすよう、第２の案内ロッド４は、１８０°の回転を越えて回転されなければならず、約１５°の追加的な回転が十分である。
【００３０】
本発明は、第２の案内ロッドがチルト角度を調整するよう求められるより少し多く回転し得る際、光ディスク装置の前述された第１の実施例において容易に適用され得、第２の案内ロッド４は、所定の回転位置へともたらされ得る。
【００３１】
上述された光ディスク記録及び／又は再生装置の実施例は、単なる例であり、他の実施例は、代替的に可能である。
【図面の簡単な説明】
【００３２】
【図１】本発明に従ったブロッキング／解放特徴を有さない第１の実施例を図示する。
【図２】第１の実施例の詳細を図示する。
【図３】本発明に従ったブロッキング／解放特徴を有する第２の実施例を図示する。
【図４】第２の実施例の詳細を図示する。
【図１】
2008544433.tif 000003
【図２】
2008544433.tif 000004
【図３】
2008544433.tif 000005
【図４】
2008544433.tif 000006
【国際調査報告】
2008544433.tif 000007
2008544433.tif 000008